(57)【要約】【課題】空調機などの設備の運転時間に応じた課金処理や課金処理の検証を簡単に行えるようにする。料金体系の変更などにも簡単に対応可能とする。【解決手段】空調機が運転される日（翌日）を管理対象日とし、この管理対象日の１日２４時間を分単位の時間区間（分区間）に分割し、コアタイムおよび時間外運転の申請によって指定される時刻（早出時刻、延長時刻）に基づいて、各分区間にその分区間における空調機の運転状態を示す運転種別（停止、コアタイム内運転、通常料金の時間外運転、割増料金の時間外運転）を割り当て、この起動種別が割り当てられた分区分を時間データとして起動種別毎に集計する。【選択図】  図５
2010169360.tif 000002
【特許請求の範囲】
【請求項１】
管理対象の設備の時間外運転を管理する時間外運転管理装置において、
前記管理対象の設備に対して定められている１日の通常の起動時刻から停止時刻までの時間帯をコアタイムとして記憶するコアタイム記憶手段と、
前記管理対象の設備が運転される日の時刻を指定しての時間外運転の申請を受け付ける時間外運転申請受付手段と、
前記管理対象の設備の時間当たりの料金が異なる運転状態として定義されている複数種類の運転種別を記憶する運転種別記憶手段と、
前記管理対象の設備が運転される日を管理対象日とし、この管理対象日の１日２４時間を単位時間毎の時間区間に分割し、前記コアタイムおよび前記時間外運転の申請によって指定される時刻に基づいて、前記各時間区間にその時間区間における前記管理対象の設備の運転状態を示す前記運転種別を割り当て、この運転種別が割り当てられた時間区間を時間データとして運転種別毎に集計する時間データ集計手段と
を備えることを特徴とする時間外運転管理装置。
【請求項２】
請求項１に記載された時間外運転管理装置において、
前記運転種別記憶手段は、
前記運転種別として、少なくとも停止、コアタイム内運転、時間外運転の３種類の運転種別を記憶し、
前記時間データ集計手段は、
前記時間区間を前記管理対象日の１日２４時間を分単位で分割した分区間とする
ことを特徴とする時間外運転管理装置。
【請求項３】
請求項１に記載された時間外運転管理装置において、
前記時間データ集計手段での時間データの集計後、前記管理対象の設備が運転される日の時間外運転の追加申請がなされた場合、その時間外運転の追加申請に基づいて前記時間データ集計手段での時間データの再集計を行わせる手段
を備えることを特徴とする時間外運転管理装置。
【請求項４】
請求項１に記載された時間外運転管理装置において、
前記時間データ集計手段は、
前記管理対象の設備が運転される日の時間外運転の申請がなされない場合、前記コアタイムに基づいて前記各時間区間にその時間区間における前記管理対象の設備の運転状態を示す前記運転種別を割り当て、この運転種別が割り当てられた時間区間を時間データとして運転種別毎に集計する
ことを特徴とする時間外運転管理装置。
【請求項５】
請求項１に記載された時間外運転管理装置において、
前記運転種別記憶手段は、
前記運転種別として、少なくとも停止、コアタイム内運転、通常料金の時間外運転、割増料金の時間外運転の４種類の運転種別を記憶し、
前記時間データ集計手段は、
前記時間区間を前記管理対象日の１日２４時間を分単位で分割した分区間とする
ことを特徴とする時間外運転管理装置。
【請求項６】
管理対象の設備の時間外運転を管理する時間外運転管理方法において、
前記管理対象の設備に対して定められている１日の通常の起動時刻から停止時刻までの時間帯をコアタイムとして記憶するコアタイム記憶ステップと、
前記管理対象の設備が運転される日の時刻を指定しての時間外運転の申請を受け付ける時間外運転申請受付ステップと、
前記管理対象の設備の時間当たりの料金が異なる運転状態として定義されている複数種類の運転種別を記憶する運転種別記憶ステップと、
前記管理対象の設備が運転される日を管理対象日とし、この管理対象日の１日２４時間を単位時間毎の時間区間に分割し、前記コアタイムおよび前記時間外運転の申請によって指定される時刻に基づいて、前記各時間区間にその時間区間における前記管理対象の設備の運転状態を示す前記運転種別を割り当て、この運転種別が割り当てられた時間区間を時間データとして運転種別毎に集計する時間データ集計ステップと
を備えることを特徴とする時間外運転管理方法。
【請求項７】
請求項６に記載された時間外運転管理方法において、
前記運転種別記憶ステップは、
前記運転種別として、少なくとも停止、コアタイム内運転、時間外運転の３種類の運転種別を記憶し、
前記時間データ集計ステップは、
前記時間区間を前記管理対象日の１日２４時間を分単位で分割した分区間とする
ことを特徴とする時間外運転管理方法。
【請求項８】
請求項６に記載された時間外運転管理方法において、
前記時間データ集計ステップでの時間データの集計後、前記管理対象の設備が運転される日の時間外運転の追加申請がなされた場合、その時間外運転の追加申請に基づいて前記時間データ集計ステップでの時間データの再集計を行わせるステップ
を備えることを特徴とする時間外運転管理方法。
【請求項９】
請求項６に記載された時間外運転管理方法において、
前記時間データ集計ステップは、
前記管理対象の設備が運転される日の時間外運転の申請がなされない場合、前記コアタイムに基づいて前記各時間区間にその時間区間における前記管理対象の設備の運転状態を示す前記運転種別を割り当て、この運転種別が割り当てられた時間区間を時間データとして運転種別毎に集計する
ことを特徴とする時間外運転管理方法。
【請求項１０】
請求項６に記載された時間外運転管理方法において、
前記運転種別記憶ステップは、
前記運転種別として、少なくとも停止、コアタイム内運転、通常料金の時間外運転、割増料金の時間外運転の４種類の運転種別を記憶し、
前記時間データ集計ステップは、
前記時間区間を前記管理対象日の１日２４時間を分単位で分割した分区間とする
ことを特徴とする時間外運転管理方法。
【発明の詳細な説明】
【技術分野】
【０００１】
この発明は、空調機などの設備の時間外運転を管理する時間外運転管理装置および方法に関するものである。
【背景技術】
【０００２】
従来より、空調機などの設備の運転を管理するビル管理システムでは、テナントからの空調時間変更申請（時間外運転の申請）を受け付けると、その時間外運転の申請によって指定される時刻に基づいて空調機の起動／停止のスケジュールを変更するようにしている（例えば、特許文献１参照）。
【０００３】
例えば、空調機に対して定められている１日の通常の起動時刻から停止時刻までの時間帯をコアタイムとし、早出申請が行われた場合には、コアタイムに対して起動時刻を早め、残業申請が行われた場合には、コアタイムに対して停止時刻を延長する。
【０００４】
例えば、コアタイムを９：００〜１７：００とした場合、通常は空調機を９：００に起動し、１７：００に停止する。早出申請として、その時刻（早出時刻）が６：００として指定されると、早出当日の６：００に空調機を起動する。残業申請として、その時刻（延長時刻）が２２：００として指定されると、残業当日の２２：００に空調機を停止する。
【０００５】
ここで、空調機の運転時間に応じて課金を行うものとした場合、コアタイムは９：００から１７：００までの８時間と計算する。時間外は、６：００から９：００までの３時間、１７：００から２２：００までの５時間、合計８時間と計算する（図１０参照）。そして、コアタイムの１時間当たりの空調機の使用料（コアタイムの単価）をＡ、時間外の１時間当たりの空調機の使用料（時間外の単価）をＢとした場合、コアタイムの料金を８時間×Ａとし、時間外の料金を８時間×Ｂとし、このコアタイムの料金と時間外の料金とを合わせた額を１日の課金金額とする。
【０００６】
【特許文献１】特開２００２−８３０２９号公報
【発明の開示】
【発明が解決しようとする課題】
【０００７】
しかしながら、図１０で説明した例では、コアタイムの単価をＡ、時間外の単価をＢとしたが、時間帯によって単価がさらに細かく分かれる場合が多い。例えば、図１１に示すように、時間外でも７：００〜９：００までの間および１７：００〜２０：００までの間は通常料金（通常時間外単価）Ｂ１、７：００以前および２０：００以降は割増料金（割増時間外単価）Ｂ２とされることがある。この場合、コアタイムの料金を８時間×Ａとし、時間外の料金を「５時間×Ｂ１」＋「３時間×Ｂ２」とし、このコアタイムの料金と時間外の料金とを合わせた額を１日の課金金額とする。
【０００８】
このように、時間帯によって単価が細かく分かれることがあり、またこれらの単価は地域、建物ごとに異なる場合もある。このため、従来の時間外運転の管理においては、課金処理や課金処理の検証が複雑となり、手間がかかっていた。
また、料金体系の変更（単価の変更）などがあった場合、そのたびに課金処理の計算ロジックを変更する必要があり、変更のたびに処理の品質評価などの工数が発生し、効率が悪い、というような問題があった。
【０００９】
本発明は、このような課題を解決するためになされたもので、その目的とするところは、空調機などの設備の運転時間に応じた課金処理や課金処理の検証を簡単に行うことが可能な、また料金体系の変更などにも簡単に対応することが可能な、時間外運転管理装置および方法を提供することにある。
【課題を解決するための手段】
【００１０】
このような目的を達成するために本発明は、管理対象の設備の時間外運転を管理する時間外運転管理装置において、管理対象の設備に対して定められている１日の通常の起動時刻から停止時刻までの時間帯をコアタイムとして記憶するコアタイム記憶手段と、管理対象の設備が運転される日の時刻を指定しての時間外運転の申請を受け付ける時間外運転申請受付手段と、管理対象の設備の時間当たりの料金が異なる運転状態として定義されている複数種類の運転種別を記憶する運転種別記憶手段と、管理対象の設備が運転される日を管理対象日とし、この管理対象日の１日２４時間を単位時間毎の時間区間に分割し、コアタイムおよび時間外運転の申請によって指定される時刻に基づいて、各時間区間にその時間区間における管理対象の設備の運転状態を示す運転種別を割り当て、この運転種別が割り当てられた時間区間を時間データとして運転種別毎に集計する時間データ集計手段とを設けたものである。なお、本発明は、時間外運転管理装置としてではなく、時間外運転管理方法として実現することも可能である。
【００１１】
この発明において、例えば、運転種別を停止、コアタイム内運転、時間外運転の３種類とし、時間区間を管理対象日の１日２４時間を分単位で分割した分区間とすると、コアタイムおよび時間外運転の申請で指定された時刻（例えば、早出時刻、延長時刻）に基づいて、各分区間にその分区間における管理対象の設備の運転種別（停止、コアタイム内運転、時間外運転）が割り当てられ、この運転種別が割り当てられた分区間が時間データとして運転種別毎に集計される。これにより、「停止」が割り当てたれた分区間の個数、「コアタイム内運転」が割り当てられた分区間の個数、「時間外運転」が割り当てられた分区間の個数が得られ、この運転種別毎の分区間の個数（時間データの個数）から空調機などの設備の運転時間に応じた課金処理を簡単に行うことが可能となる。
【００１２】
本発明において、時間データの集計後、管理対象の設備が運転される日の時間外運転の追加申請がなされた場合、その時間外運転の追加申請に基づいて時間データ集計手段での時間データの再集計を行わせるようにしてもよい。
【００１３】
また、本発明において、時間データ集計手段は、管理対象の設備が運転される日の時間外運転の申請がなされない場合、コアタイムに基づいて各時間区間にその時間区間における管理対象の設備の運転状態を示す運転種別を割り当て、この運転種別が割り当てられた時間区間を時間データとして運転種別毎に集計する。すなわち、管理対象の設備が運転される日の時間外運転の申請がなされない場合、時間外運転の時刻が指定されないので、コアタイムのみに基づいて各時間区間にその時間区間における管理対象の設備の運転状態を示す運転種別（例えば、停止、コアタイム内運転の２種類）を割り当て、時間データの集計を行う。
【発明の効果】
【００１４】
本発明によれば、管理対象の設備が運転される日を管理対象日とし、この管理対象日の１日２４時間を単位時間毎の時間区間に分割し、コアタイムおよび時間外運転の申請によって指定される時刻に基づいて、各時間区間にその時間区間における管理対象の設備の運転状態を示す運転種別を割り当て、この運転種別が割り当てられた時間区間を時間データとして運転種別毎に集計するようにしたので、この運転種別毎の時間データの集計結果から空調機などの設備の運転時間に応じた課金処理や課金処理の検証を簡単に行うことが可能となり、また料金体系の変更などにも簡単に対応することが可能となる。
【発明を実施するための最良の形態】
【００１５】
以下、本発明を図面に基づいて詳細に説明する。図１はこの発明に係る時間外運転管理装置を用いたビル管理システムの一実施の形態の要部を示す図である。同図において、１００は本発明に係る時間外運転管理装置、２００はコントローラ、３００は空調機である。
【００１６】
時間外運転管理装置１００は、時間外申請受付部１と、コアタイム設定管理部２と、空調機起動／停止タイムスケジュール作成部３と、運転種別記憶部４と、割増時間外設定管理部５と、単価設定管理部６と、時間データ集計部７とを備えている。
【００１７】
この時間外運転管理装置１００における各部の処理動作は、プロセッサや記憶装置からなるハードウェアと、これらのハードウェアと協働して各種機能を実現させるプログラムとによって実現される。具体的には、コンピュータにプログラムがインストールされ、このインストールされたプログラムに従うＣＰＵの処理動作として実現される。
【００１８】
時間外申請受付部１は、時刻を指定してのユーザからの時間外運転の申請を受け付けてメモリに記憶すると共に、その受け付けた時間外運転の申請を空調機起動／停止タイムスケジュール作成部３へ送る。この実施の形態において、時間外運転の申請は、前日に、翌日の空調機３０の運転に対して行われるものとする。この時間外運転の申請には早出申請と残業申請とがある。時間外申請受付部１は、早出申請がされた場合、その早出申請によって指定される時刻を早出時刻として、残業申請がされた場合、その残業申請によって指定される時刻を延長時刻とし、その指定された時刻を含む時間外運転の申請を空調機起動／停止タイムスケジュール作成部３へ送る。
【００１９】
コアタイム設定管理部２には、空調機３００に対して定められている１日の通常の起動時刻から停止時刻までの時間帯がコアタイムとして設定されている。このコアタイムには、平日のコアタイム、特別日（創立記念日など）、休日のコアタイムなどがある。本実施の形態においては、説明を簡単とするために、平日のみのコアタイム（９：００〜１７：００）がコアタイム設定管理部２のメモリに設定・記憶されているものとする。また、このコアタイムは、必要に応じて変更可能である。
【００２０】
空調機起動／停止タイムスケジュール作成部３は、時間外申請受付部１から送られてくる時間外運転の申請によって指定される時刻と、コアタイム設定管理部２に設定されているコアタイムとに基づいて、翌日の空調機３００の起動／停止のタイムスケジュールを作成する。この作成された起動／停止のタイムスケジュールはコントローラ２００および時間データ集計部７へ送られる。
【００２１】
運転種別記憶部４には、空調機３００の時間当たりの料金が異なる運転状態として定義されている複数種類の運転種別が記憶されている。この実施の形態では、停止を「０」、コアタイム内運転を「１」、通常料金の時間外運転を「５」、割増料金の時間外運転を「６」として、４種類の運転種別が運転種別記憶部４内のメモリに設定・記憶されている。
【００２２】
割増時間外設定管理部５には、時間外について、割増料金とされる時間帯が設定されている。この実施の形態では、７：００以前および２０：００以降の時間帯、すなわち２０：００〜７：００までの時間帯が割増料金の時間帯として割増時間外設定管理部５のメモリに設定・記憶されている。
【００２３】
単価設定管理部６には、空調機３００の使用料について、コアタイムの単価がＡとして、通常料金の時間外の単価（通常時間外単価）がＢ１として、割増料金の時間外の単価（割増時間外単価）がＢ２として設定・記憶されている。
【００２４】
時間データ集計部７は、空調機起動／停止タイムスケジュール作成部３からの翌日の空調機３００の起動／停止のタイムスケジュールを受けて、このタイムスケジュールによって空調機３００が運転される日（翌日）を管理対象日とし、この管理対象日の１日２４時間を分単位の時間区間（分区間）に分割し、この分割した各分区間に割り当てられる空調機３００の運転種別を時間データとして運転種別毎に集計する。この時間データの運転種別毎の集計については後述する。
【００２５】
以下、図２に示すフローチャートを参照しながら、時間外運転管理装置１００における本実施の形態特有の処理動作について説明する。
【００２６】
時間外運転管理装置１００において、時間外申請受付部１は、翌日の空調機３００に対する時刻を指定しての時間外運転の申請を受け付けると（ステップＳ１０１のＹＥＳ）、この指定された時刻を含む時間外運転の申請を空調機起動／停止タイムスケジュール作成部３へ送る。
【００２７】
空調機起動／停止タイムスケジュール作成部３は、時間外申請受付部１から時間外運転の申請が送られてくると、カレンダに従って翌日（平日）のコアタイムをコアタイム設定管理部２から読み出し（ステップＳ１０２）、時間外申請受付部１から送られてきた時間外運転の申請によって指定される時刻と、コアタイム設定管理部２から読み出したコアタイムとに基づいて、翌日の空調機３００の起動／停止のタイムスケジュールを作成する（ステップＳ１０３）。
【００２８】
図３に空調機起動／停止タイムスケジュール作成部３で作成される翌日の空調機３００の起動／停止のタイムスケジュールを例示する。この例は、平日のコアタイムを９：００〜１７：００とし、時間外運転の申請によって早出時刻が６：００、延長時刻が２２：００として指定された場合を示している。この作成された翌日の空調機３００の起動／停止のタイムスケジュールは時間データ集計部７へ送られる。
【００２９】
時間データ集計部７は、空調機起動／停止タイムスケジュール作成部３からの翌日の空調機３００の起動／停止のタイムスケジュールを受けて、このタイムスケジュールによって空調機３００が運転される日（翌日）を管理対象日とし、このタイムスケジュール中のコアタイムおよび時間外運転の時刻と割増時間外設定管理部５中の割増料金の時間帯とに基づいて、管理対象日の１日の時間帯を空調機３００の運転種別（運転種別記憶部４中の運転種別）で区分する（ステップＳ１０４）。
【００３０】
図３に示したタイムスケジュールの例の場合、時間データ集計部７は、図４に示すように、９：００〜１７：００の時間帯をコアタイム内運転「１」、７：００〜９：００および１７：００〜２０：００の時間帯を通常料金の時間外運転「５」、６：００〜７：００および２０：００〜２２：００の時間帯を割増料金の時間外運転「６」、その他の時間帯を停止「０」として区分する。
【００３１】
そして、時間データ集計部７は、管理対象日の１日２４時間を分単位の時間区間（分区間）に分割し、この分割した各分区間にその分区間における空調機３００の運転種別を割り当てる（ステップＳ１０５）。この場合、１日２４時間が１４４０個の分区間に分割され、この１４４０個の分区間のそれぞれに対して空調機３００の運転種別が割り当てられる（図５参照）。
【００３２】
そして、時間データ集計部７は、この運転種別を割り当てた分区間を時間データとして運転種別毎に集計する（ステップＳ１０６）。すなわち、図５に示した例の場合、停止「０」の分区間の個数（４８０個）、コアタイム内運転「１」の分区間の個数（４８０個）、通常料金の時間外運転「５」の分区間の個数（３００個）、割増料金の時間外運転「６」の分区間の個数（１８０個）を時間データの個数としてカウントする。
【００３３】
時間外運転管理装置１００は、日が替わる毎に（ステップＳ１０７のＹＥＳ）、ステップＳ１０１へ戻り、時間外申請受付部１で受け付けられる翌日の時間外運転の申請に応じて（ステップＳ１０１のＹＥＳ）、ステップＳ１０２〜Ｓ１０６の処理を繰り返す。
【００３４】
なお、予め定められている時刻まで時間外運転の申請がなされなかった場合（ステップＳ１０１のＮＯ）、空調機起動／停止タイムスケジュール作成部３は、カレンダに従って翌日（平日）のコアタイムをコアタイム設定管理部２から読み出し（ステップＳ１０８）、この読み出したコアタイムに基づいて翌日の空調機３００の起動／停止のタイムスケジュールを作成する（ステップＳ１０９）。
【００３５】
この場合、時間データ集計部７は、空調機起動／停止タイムスケジュール作成部３からの起動／停止のタイムスケジュールを受けて、このタイムスケジュールによって空調機３００が運転される日（翌日）を管理対象日とし、このタイムスケジュール中のコアタイムのみに基づいて、管理対象日の１日の時間帯を停止「０」、コアタイム内運転「１」の２種類の運転種別で区分し（ステップＳ１０４）、１日２４時間の各分区間にその分区間における空調機３００の運転種別を割り当てる（ステップＳ１０５）。これにより、ステップＳ１０６では、停止「０」の分区間の個数、コアタイム内運転「１」の分区間の個数が時間データの個数としてカウントされる。
【００３６】
また、ステップＳ１０６での時間データの集計後、日が替わるまでの間に時間外運転の追加申請がなされた場合（ステップＳ１１０のＹＥＳ）、空調機起動／停止タイムスケジュール作成部３はステップＳ１０３と同様にして翌日の空調機３００の起動／停止のタイムスケジュールを再作成し、時間データ集計部７はステップＳ１０４〜Ｓ１０７と同様にして運転種別毎の時間データの再集計を行う（ステップＳ１１１）。
【００３７】
このようにして、時間データ集計部７は、毎日、管理対象日の時間データを運転種別毎に集計する。そして、時間データ集計部７は、例えば、１ヶ月毎に、管理対象日の運転種別毎の時間データの個数を合計し、その合計した運転種別毎の時間データの個数から運転種別毎の空調機３００の運転時間を求め、この運転種別毎の空調機３００の運転時間と単価設定管理部６に設定されている単価（コアタイムの単価Ａ、通常時間外単価Ｂ１、割増時間外単価Ｂ２）とから空調機３００に対する１ヶ月分の課金金額を算出する。
【００３８】
なお、上述した例では、運転種別を停止，コアタイム内運転、通常料金の時間外運転，割増料金の時間外運転の４種類としたが、停止，コアタイム内運転，時間外運転の３種類とされる場合もある。また、例えば、休日、特別日（創立記念日など）など空調機の使用料が異なるような場合には、休日コアタイム内運転、休日時間外運転など、その運転種別がさらに増えることになる。このような場合、その運転種別を運転種別記憶部４に追加設定したり、単価を単価設定管理部６に追加設定したりするだけで、柔軟に対応することが可能である。また、上述においては、運転種別として「停止」も含めるようにしたが、「停止」は必ずしも運転種別として含めなくてもよい。
【００３９】
また、上述した例では、日が替わる前に翌日の時間外運転の追加申請を受け付けるようにしたが、日が替わった後に当日の時間外運転の追加申請を受け付けるようにしてもよい。例えば、当日、空調機の運転中に、残業申請がなされたり、残業申請が修正されたような場合、この時間外運転の追加申請を受け付けて、起動／停止のタイムスケジュールを再作成し、運転種別毎の時間データの再集計を行わせるようにしてもよい。これにより、急な申請などであっても柔軟に対応することが可能となり、集計漏れなどを削減し、信頼性を高めることが可能となる。
【００４０】
図６〜図９に空調機起動／停止タイムスケジュール作成部３で作成される空調機３００の起動／停止のタイムスケジュールの別の例を示す。
【００４１】
図６は、コアタイムが９：００〜１７：００として設定され、早出時刻が６：００、延長時刻が１９：００として指定された場合を示している。この場合、９：００〜１７：００の時間帯がコアタイム内運転「１」、８：００〜９：００および１７：００〜１９：００の時間帯が通常料金の時間外運転「５」として区分され、各分区間に空調機３００の運転種別が割り当てられる。
【００４２】
図７は、コアタイムが９：００〜１２：００、１３：００〜１７：００として設定され、早出時刻が８：００、延長時刻が１９：００として指定された場合を示している。この場合、９：００〜１２：００および１３：００〜１７：００の時間帯がコアタイム内運転「１」、８：００〜９：００および１７：００〜１９：００の時間帯が通常料金の時間外運転「５」として区分され、各分区間に空調機３００の運転種別が割り当てられる。
【００４３】
図８は、コアタイムの設定がなく、早出時刻が８：００、延長時刻が１９：００として指定された場合を示している。この場合、８：００〜１９：００の時間帯が例えば特別料金の時間外運転「７」として区分され、各分区間に空調機３００の運転種別が割り当てられる。
【００４４】
図９は、翌日および翌々日のコアタイムが９：００〜１７：００として設定され、早出時刻が翌日の８：００、延長時刻が翌々日の３：００として指定された場合を示している。この場合、翌日の９：００〜１７：００の時間帯がコアタイム内運転「１」、翌日の８：００〜９：００および１７：００〜２０：００の時間帯が通常料金の時間外運転「５」、翌日の２０：００〜２４：００の時間帯が割増料金の時間外運転「６」として区分され、各分区間に空調機３００の運転種別が割り当てられる。
【００４５】
以上の説明から分かるように、本実施の形態によれば、毎日動的に設定される時刻を指定しての時間外運転の申請に基づき、１日２４時間の各分区間に運転種別が割り当てられ、この運転種別が割り当てられた分区間が時間データとして運転種別毎に集計され、この運転種別毎の時間データの集計結果から空調機に対する課金金額が求められるものとなる。この場合、運転種別毎に時間データを集計するのみでよく、空調機の運転時間に応じた課金処理を容易に行うことができ、課金処理の検証も簡単となる。また、料金体系の変更などに対しても、簡単に対応することが可能となる。また、運転種別の追加変更などに対しても、柔軟に処理の修正を行うことが可能となる。
【００４６】
なお、上述した実施の形態では、管理対象の設備を空調機として説明したが、管理対象の設備は空調機に限られるものでないことは言うまでもない。また、管理対象の設備をテナントに対して設けられた空調機群としたり、照明機器群としたりすることも考えられる。また、テナント毎に、管理対象の設備の時間外運転を管理するようにしてもよい。また、時間区間は分区間に限られるものではなく、例えば３０秒毎の秒区間としたりするなどしてもよい。
【図面の簡単な説明】
【００４７】
【図１】本発明に係る時間外運転管理装置を用いたビル管理システムの一実施の形態の要部を示す図である。
【図２】このビル管理システムにおける時間外運転管理装置での特有の処理動作を説明するためのフローチャートである。
【図３】この時間外運転管理装置における空調機起動／停止タイムスケジュール作成部で作成される翌日の空調機の起動／停止のタイムスケジュールを例示（例１）する図である。
【図４】この起動／停止のタイムスケジュールによって空調機が運転される日（管理対象日）の１日の時間帯を空調機の運転種別で区分した状態を示す図である。
【図５】管理対象日の１日２４時間の分単位の時間区間（分区間）に空調機の運転種別を割り当てた状態を示す図である。
【図６】空調機起動／停止タイムスケジュール作成部で作成される空調機の起動／停止のタイムスケジュールの別の例（例２）を示す図である。
【図７】空調機起動／停止タイムスケジュール作成部で作成される空調機の起動／停止のタイムスケジュールの別の例（例３）を示す図である。
【図８】空調機起動／停止タイムスケジュール作成部で作成される空調機の起動／停止のタイムスケジュールの別の例（例４）を示す図である。
【図９】空調機起動／停止タイムスケジュール作成部で作成される空調機の起動／停止のタイムスケジュールの別の例（例５）を示す図である。
【図１０】従来の空調機の運転時間に応じた課金処理の一例を説明する図である。
【図１１】従来の空調機の運転時間に応じた課金処理の別の例を説明する図である。
【符号の説明】
【００４８】
１…時間外申請受付部、２…コアタイム設定管理部、３…空調機起動／停止タイムスケジュール作成部、４…運転種別記憶部、５…割増時間外設定管理部、６…単価設定管理部、７…時間データ集計部、１００…時間外運転管理装置、２００…コントローラ、３００…空調機。
【図１】
2010169360.tif 000003
【図２】
2010169360.tif 000004
【図３】
2010169360.tif 000005
【図４】
2010169360.tif 000006
【図５】
2010169360.tif 000007
【図６】
2010169360.tif 000008
【図７】
2010169360.tif 000009
【図８】
2010169360.tif 000010
【図９】
2010169360.tif 000011
【図１０】
2010169360.tif 000012
【図１１】
2010169360.tif 000013